(57)【要約】【課題】離型性が良好であると共に、遊技球の転動を阻害しない入賞具を有する遊技機を提供することを目的とする。【解決手段】遊技盤１の遊技領域１１を流下する遊技球を受け入れる受入口５１と、受入口５１に流入した遊技球を遊技盤１裏面側の入賞球処理領域へ導く樋部５２とを有し、遊技盤１に配設される入賞具２８を備える遊技機において、樋部５２は、底部から突出しかつ後方に向かって下り傾斜して形成され、上部に沿って遊技球が転動可能な傾斜突条５５を有し、傾斜突条５５の表面は球面状に形成され、入賞具２８は、成形材料を成形型に充填することによって成形され、入賞具２８を成形型から離型させる際に離型用の突き出し具を当接させる当接部は、樋部５２の後端面５２ａと傾斜突条５５の後端面５５ａとに跨る同一端面として設けられる。【選択図】図３
2008125744.tif 000002
【特許請求の範囲】
【請求項１】
遊技盤の遊技領域を流下する遊技球を受け入れる受入口と、当該受入口に流入した遊技球を遊技盤裏面側の入賞球処理領域へ導く樋部とを有し、遊技盤に配設される入賞具を備える遊技機において、
前記入賞具の樋部は、
底部から突出しかつ後方に向かって下り傾斜して形成され、その表面に沿って遊技球が転動可能な傾斜突条を有し、
前記傾斜突条の表面は球面状に形成され、
前記入賞具は、成形材料を成形型に充填することによって成形され、
前記入賞具を前記成形型から離型させる際に離型用の突き出し具を当接させる当接部は、前記樋部の後端面と前記傾斜突条の後端面とに跨る同一端面として設けられることを特徴とする遊技機。
【請求項２】
遊技盤の遊技領域を流下する遊技球を受け入れる受入口と、当該受入口に流入した遊技球を遊技盤裏面側の入賞球処理領域へ導く樋部とを有し、遊技盤に配設される入賞具を備える遊技機において、
前記入賞具の樋部は、
底部から突出しかつ後方に向かって下り傾斜して形成され、その上面に沿って遊技球が転動可能な傾斜突条を有し、
前記樋部から立ち上がる傾斜突条の基端部には、当該傾斜突条に沿って補強部が形成され、
前記入賞具は、成形材料を成形型に充填することによって成形され、
前記入賞具を前記成形型から離型させる際に離型用の突き出し具を当接させる当接部は、前記樋部の後端面と前記傾斜突条の後端面と前記補強部の後端面とに跨る同一端面として設けられることを特徴とする遊技機。
【請求項３】
前記入賞球処理領域には、前記樋部から流出した遊技球が転動する入賞球転動部材が配在され、
前記当接部は、前記樋部と前記傾斜突条との後端面より突出して形成され、
前記入賞球転動部材は、前記当接部と嵌合する嵌合部を有し、前記当接部を前記嵌合部に嵌合させることによって前記入賞具に対して位置決めされることを特徴とする請求項１又は請求項２に記載の遊技機。
【発明の詳細な説明】
【技術分野】
【０００１】
本発明は、遊技球を用いる遊技機に関するものである。
【背景技術】
【０００２】
従来のパチンコ機等の遊技機では、遊技盤前面の遊技領域を流下する遊技球を受け入れ、その遊技球を遊技盤裏面側の入賞球処理領域へ導く入賞具が遊技盤の前面に配在されている（例えば、特許文献１参照）。
【０００３】
この入賞具の成形は、一般的に、軟化する温度に加熱した合成樹脂を金型に充填して成形する射出成形によって行われる。入賞具を金型から離型させるには、遊技球を入賞球処理領域へと導く樋部の後端部に突き出しピンを当接させ押圧することによって行っていた。
【特許文献１】特開平４−３１４４７４号公報
【発明の開示】
【発明が解決しようとする課題】
【０００４】
入賞具の離型性を良くするためには、突き出しピンの押圧力が入賞具へと作用し易くなるように、樋部の断面を厚くする必要がある。しかし、樋部の断面を厚くすれば、遊技球が転動する樋部の表面にヒケが発生し易くなる。
【０００５】
そこで、突き出しピンが当接する部分のみ、つまり樋部の下部に駄肉を設けるという方法もある。しかし、この場合も、駄肉の反対側である樋部の表面にヒケが発生し易くなる。
【０００６】
樋部の表面にヒケが発生した場合、樋部を転動する遊技球は止まり易くなるため、遊技の興趣が阻害される。
【０００７】
本発明は、上記の問題点に鑑みてなされたものであり、離型性が良好であると共に、遊技球の転動を阻害しない入賞具を有する遊技機を提供することを目的とする。
【課題を解決するための手段】
【０００８】
第１の発明は、遊技盤の遊技領域を流下する遊技球を受け入れる受入口と、当該受入口に流入した遊技球を遊技盤裏面側の入賞球処理領域へ導く樋部とを有し、遊技盤に配設される入賞具を備える遊技機において、前記入賞具の樋部は、底部から突出しかつ後方に向かって下り傾斜して形成され、その表面に沿って遊技球が転動可能な傾斜突条を有し、前記傾斜突条の表面は球面状に形成され、前記入賞具は、成形材料を成形型に充填することによって成形され、前記入賞具を前記成形型から離型させる際に離型用の突き出し具を当接させる当接部は、前記樋部の後端面と前記傾斜突条の後端面とに跨る同一端面として設けられることを特徴とする。
【０００９】
第２の発明は、遊技盤の遊技領域を流下する遊技球を受け入れる受入口と、当該受入口に流入した遊技球を遊技盤裏面側の入賞球処理領域へ導く樋部とを有し、遊技盤に配設される入賞具を備える遊技機において、前記入賞具の樋部は、底部から突出しかつ後方に向かって下り傾斜して形成され、その上面に沿って遊技球が転動可能な傾斜突条を有し、前記樋部から立ち上がる傾斜突条の基端部には、当該傾斜突条に沿って補強部が形成され、前記入賞具は、成形材料を成形型に充填することによって成形され、前記入賞具を前記成形型から離型させる際に離型用の突き出し具を当接させる当接部は、前記樋部の後端面と前記傾斜突条の後端面と前記補強部の後端面とに跨る同一端面として設けられることを特徴とする。
【００１０】
第３の発明は、前記入賞球処理領域には、前記樋部から流出した遊技球が転動する入賞球転動部材が配在され、前記当接部は、前記樋部と前記傾斜突条との後端面より突出して形成され、前記入賞球転動部材は、前記当接部と嵌合する嵌合部を有し、前記当接部を前記嵌合部に嵌合させることによって前記入賞具に対して位置決めされることを特徴とする。
【発明の効果】
【００１１】
第１の発明によれば、遊技球が転動する傾斜突条の表面は球面状に形成され断面積が小さいため、傾斜突条の表面にはヒケが発生し難い。したがって、遊技球の転動を阻害することがない。また、離型用の突き出し具を当接させる当接部は、樋部と傾斜突条との後端面に跨る同一平面として設けられるため、突き出し具を当接させる面積が確保され、入賞具の離型性は良好となる。
【００１２】
第２の発明によれば、傾斜突条の基端部に設けた補強部によって傾斜突条の強度が大きくなるため、傾斜突条を細く構成することができる。したがって、傾斜突条の表面には、ヒケがより発生し難くなる。また、傾斜突条を細く構成する分、離型用の突き出し具が当接する傾斜突条の面積は小さくなるが、当接部は、樋部と傾斜突条との後端面と共に、補強部の後端面にも跨る同一平面として設けられるため、当接部の面積は離型性を損なうことのない充分なものとなる。
【００１３】
第３の発明によれば、離型用の突き出し具を当接させる当接部を、入賞具に対する入賞球転動部材の位置決め手段としても利用することができる。
【発明を実施するための最良の形態】
【００１４】
以下、本発明の実施の形態について、図面を参照して説明する。
【００１５】
（第１の実施の形態）
図１は、本発明の第１の実施の形態の遊技機（パチンコ機）の遊技盤１の正面図である。
【００１６】
遊技機の遊技盤１は、図１に示すように、合板やプラスチック等からなる矩形状の遊技盤本体２の表面に、ガイドレール１０等を設けることで略円形状の遊技領域１１を区画形成している。
【００１７】
遊技機は、遊技者の操作に基づいて発射装置（図示省略）から遊技球を発射させ、遊技領域１１内に流下させることにより遊技を行うものである。遊技者は、カバーガラス（図示省略）を通じて遊技領域１１を視認することができる。
【００１８】
遊技領域１１のほぼ中央には、略長方形状の開口窓部２１ａを有するセンターケース２１が配設される。センターケース２１の後方には、複数の識別情報を変動表示する変動表示装置２２が、その表示部２２ａがセンターケース２１の開口窓部２１ａに臨む状態で配設される。
【００１９】
遊技盤１にはセンターケース２１の外周に沿った形状の開口が形成され、センターケース２１は、その開口に遊技盤１の前方から嵌装される。また、センターケース２１の開口窓部２１ａは、開口窓部２１ａから臨む変動表示装置２２の表示部２２ａが遊技領域１１のほぼ中央に配置されるように形成されている。
【００２０】
変動表示装置２２は、表示部２２ａに複数の変動表示領域（例えば、左側、中央、右側の３つの可変表示領域等）を設定して各表示領域の各々で独立して画像表示がなされる表示装置である。本実施の形態では、例えば、任意の画像を表示可能なＬＣＤ（液晶表示器）等で表示画面部分が構成され、この表示画面上の各変動表示領域には複数の識別情報（特別図柄）や変動表示ゲームを演出するキャラクタ等、遊技の進行に基づく画像が表示される。
【００２１】
遊技領域１１におけるセンターケース２１の下方には、普通変動入賞装置（普通電動役物）２３を有するチューリップタイプの変動表示始動口２４が配設され、この始動口２４の下方には、変動表示装置２２の作動結果によって遊技球を受け入れない状態と受け入れ易い状態とに変換可能な特別変動入賞装置（大入賞口）２５が配設される。
【００２２】
遊技領域１１における特別変動入賞装置２５の右側方には、普図変動表示ゲームの普通図柄の変動表示を行う普図変動表示装置３２が配設され、センターケース２１下方の右側には、普図変動表示ゲームの普通図柄始動ゲート２６が配設される。
【００２３】
遊技領域１１における始動口２４の左側には、遊技球が入賞した場合に賞球を払い出す条件だけが成立する一般入賞口２７ａ，２７ｂ，２７ｃが配設され、始動口２４の右側には一般入賞口２７ｄが配設され、さらにセンターケース２１の左側には一般入賞口２８が配設される。
【００２４】
また、遊技領域１１には、この他に、遊技球の落下方向を変える風車や釘（図示省略）等の方向変換部材、入賞せずに流下した遊技球を回収するアウト口３０、及び発光により各種の装飾表示を行うランプ・ＬＥＤ（図示省略）が配設される。
【００２５】
発射装置によって打ち出された遊技球は、ガイドレール１０の左側部に区画され遊技球を案内する発射球案内通路３１から遊技領域１１に発射され、遊技領域１１内の各所に配置された方向変換部材によって落下方向を変えながら遊技領域１１を流下し、始動口２４、一般入賞口２７ａ〜２７ｄ，２８、特別変動入賞装置２５に入賞するか、遊技領域１１の最下部に設けられたアウト口３０から排出される。
【００２６】
始動口２４、一般入賞口２７ａ〜２７ｄ，２８、特別変動入賞装置２５に遊技球が入賞すると、入賞した入賞口の種類に応じた数の賞球が払出装置（図示省略）から排出される。
【００２７】
具体的には、始動口２４へ遊技球の入賞があると、変動表示装置２２では、前述した数字等で構成される識別情報が順に変動表示する変動表示ゲームが開始され、変動表示ゲームに関する画像が表示される。
【００２８】
始動口２４への入賞が所定のタイミングでなされたときには大当たり状態となり、三つの表示図柄が揃った状態（大当たり図柄）で停止する。このとき、特別変動入賞装置２５は、大入賞口ソレノイド（図示省略）への通電によって、大入賞口が所定の時間だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者は多くの遊技球を獲得することができるという遊技価値が付与される。
【００２９】
また、普通図柄始動ゲート２６を遊技球が通過すると、普図変動表示装置３２で普図変動表示ゲームが開始される。普通図柄始動ゲート２６への遊技球の通過が所定のタイミングでなされたときには普通図柄に関する当たり状態となる。このとき、始動口２４に設けられた普通変動入賞装置２３は、普通電動役物ソレノイド（図示省略）への通電によって、始動口２４への入口が所定の時間だけ拡開するように変換され、遊技球の始動口２４への入賞可能性が高められる。
【００３０】
次に、主に図２〜図４を参照して、遊技球が入賞する入賞具について説明する。
【００３１】
ここで、本発明における入賞具とは、遊技盤１の遊技領域１１を流下する遊技球を受け入れ、その遊技球を遊技盤１裏面側の入賞球処理領域へ導くものであり、始動口２４、及び一般入賞口２７ａ〜２７ｄ，２８等の遊技球が入賞するもの全てを指す。
【００３２】
以下では、入賞具として、図１に示した一般入賞口２８（以下、「入賞口２８」と称する。）を例にとって説明する。図２は入賞口２８の前方斜視図であり、図３は入賞口２８の後方斜視図であり、図４は入賞口２８近傍の断面図である。
【００３３】
入賞口２８は、入賞口本体４１と、入賞口本体４１を遊技盤１に固定するためのフランジ部４２とを備える。
【００３４】
入賞口本体４１は、半円筒部材４３と、半円筒部材４３の長手方向に延在する両端面から直線状に立設する側壁４４ａ，４４ｂとから構成され、一方の端部は端面４５にて閉塞されると共に、他方の端部は開口している。
【００３５】
フランジ部４２は、入賞口本体４１の長手方向中央付近に、入賞口本体４１の外周面に沿って入賞口本体４１と一体に取り付けられる。フランジ部４２には、遊技盤１に固定するための締結部材（図示省略）を挿通させる一対の孔４２ａが形成される。
【００３６】
入賞口２８は、合成樹脂等の成形材料を軟化する温度に加熱した後、金型等の成形型に加圧状態にて充填して成形する射出成形によって成形される。
【００３７】
入賞口２８は、遊技盤１に形成された略円形状の開口４７（図１及び図４参照）に、端面４５が手前側でかつ側壁４４ａ，４４ｂが上側となるように遊技盤１の前方から嵌装される。そして、フランジ部４２を遊技盤１の前面に当接させ、締結部材をフランジ部４２の孔４２ａ及び遊技盤１に形成された孔（図示省略）に挿通させることによって、入賞口２８は遊技盤１に固定される。これにより、入賞口本体４１におけるフランジ部４２の前方側は遊技領域１１内に配置され、フランジ部４２の後方側は遊技盤１の開口４７内に収納され、後端部の開口を遊技盤１の裏面側の入賞球処理領域に臨ませることになる。
【００３８】
なお、側壁４４ａ，４４ｂの端面は、フランジ部４２が取り付けられた位置を境にして、後方側が低く形成される。このように、側壁４４ａ，４４ｂの端面には段部４９が設けられ、この段部４９もフランジ部４２と共に遊技盤１の前面に当接する。
【００３９】
入賞口２８が遊技盤１に固定されることによって、入賞口２８には、遊技盤１の遊技領域１１を流下する遊技球を受け入れる受入口５１が構成される。受入口５１に流入した遊技球は、入賞口本体４１内を後方に向かって転動し、入賞口本体４１内周面と遊技盤１の開口４７内周面とによって構成された貫通路５３（図４参照）を通過して遊技盤１裏面側の入賞球処理領域へと導かれる。このように、入賞口本体４１における半円筒部材４３と側壁４４ａ，４４ｂとで囲まれた領域は、遊技球を遊技盤１裏面側の入賞球処理領域へ導く樋部５２として機能する。
【００４０】
図３及び図４に示すように、樋部５２における最底部には、入賞口本体４１の表面から上方に突出し、かつ後方に向かって下り傾斜した傾斜突条５５が形成される。傾斜突条５５は、後方に向かって下り傾斜した斜面をもつ土台５６と、その土台５６の斜面に沿うと共に、入賞口本体４１の前側の端面４５から樋部５２の後端面５２ａまで延在して形成され、表面に沿って遊技球が転動可能な球案内部５７とを備える。また、傾斜突条５５の後端面５５ａは、図３に示すように、樋部５２の後端面５２ａと同一平面内に形成される。
【００４１】
遊技領域１１から受入口５１に流入した遊技球は、左右を入賞口本体４１の側壁４４ａ，４４ｂに案内されながら、傾斜突条５５の球案内部５７上を後方に向かって転動する。
【００４２】
球案内部５７の表面は球面状に形成されているため、遊技球が球案内部５７に沿って転動する場合、遊技球と球案内部５７との接触面積は極小さいものとなる。これに対して、樋部５２に傾斜突条５５を配在しない場合には、樋部５２を転動する遊技球は、入賞口本体４１の内周面全体に沿って転動するため、遊技球と入賞口本体４１の内周面との接触面積は大きい。このように、樋部５２に傾斜突条５５を配在することによって、遊技球の転動に伴う摩擦を小さくすることができる。
【００４３】
ここで、傾斜突条５５は傾斜して形成されているため、入賞口２８を射出成形した後に成形型から離型させるには、入賞口２８を傾斜突条５５の高さが低い方から高い方に向かって成形型に対して相対移動させる必要がある。つまり、入賞口２８の離型は、樋部５２の後端面５２ａを離型用の突き出し具にて押圧することによって行われる。
【００４４】
具体的には、離型用の突き出し具を、樋部５２の後端面５２ａと傾斜突条５５の後端面５５ａとに跨いで形成される当接部６０に当接させ、入賞口本体４１をその長手方向に押圧することによって行われる。このように、突き出し具が当接する当接部６０は、樋部５２の後端面５２ａと傾斜突条５５の後端面５５ａとに跨ぐ同一平面として形成されるため、当接部６０の面積を大きくとることができる。したがって、突き出し具からの押圧力は、入賞口本体４１へと確実に作用する。
【００４５】
傾斜突条５５の球案内部５７の端部には、受入口５１から流下してくる遊技球を後方へと送るための傾斜リブ５９が配在される。傾斜リブ５９は、後方に向かって下り傾斜した斜面５９ａを有し、受入口５１から流下してくる遊技球は、その斜面５９ａに当たった後、斜面５９ａに沿って滑り落ちるようにして後方へと送られる。このように、傾斜リブ５９は、流下してくる遊技球を確実に後方へと送るものであり、遊技球の詰まり防止効果を奏する。
【００４６】
次に、入賞口２８を射出成形によって成形する場合について説明する。
【００４７】
入賞口２８を射出成形によって成形する場合には、表面に発生するヒケが問題となる。特に、遊技球が転動する部位に発生するヒケは、遊技球の転動を阻害するため問題となる。
【００４８】
しかし、本実施の形態の場合、入賞口本体４１の内周面にヒケが発生した場合でも、遊技球は傾斜突条５５上に沿って転動し、入賞口本体４１の内周面に接触しないため、入賞口本体４１の内周面に発生するヒケは問題とならない。また、傾斜突条５５の球案内部５７の表面は球面状であり断面積が小さいため、球案内部５７の表面にはヒケが発生し難い。さらに、仮に、球案内部５７の表面にヒケが発生した場合でも、前述したように、遊技球と球案内部５７との接触面積は極小さく遊技球の転動に伴う摩擦は小さいため、遊技球の転動を阻害する可能性は低い。
【００４９】
また、入賞口２８を金型から離型させる際には、離型用の突き出し具を当接部６０に当接させ、当接部６０を介して入賞口２８を押圧する。当接部６０は、樋部５２の後端面５２ａと傾斜突条５５の後端面５５ａとに跨ぐ同一平面として形成されるため、突き出し具が当接する面積は充分確保される。したがって、突き出し具による押圧力は、入賞口２８へと確実に伝達され、入賞口２８の離型性は良好となる。
【００５０】
以上のように、本実施の形態によれば、遊技球が転動する傾斜突条５５の球案内部５７の表面は球面状に形成され断面積が小さいため、球案内部５７の表面にはヒケが発生し難い。したがって、遊技球の転動を阻害することがない。また、離型用の突き出し具を当接させる当接部６０は、樋部５２の後端面５２ａと傾斜突条５５の後端面５５ａとに跨ぐ同一平面として設けられるため、突き出し具を当接させる面積が充分確保され、入賞口２８の離型性は良好となる。
【００５１】
（第２の実施の形態）
次に、図５を参照して、本発明の第２の実施の形態の遊技機における入賞口７０について説明する。図５は入賞口７０の後方斜視図である。なお、本第２の実施の形態において、上記第１の実施の形態と同様の構成には同一の符号を付し、説明を省略する。
【００５２】
以下では、本第２の実施の形態の遊技機のうち、上記第１の実施の形態と相違する点について説明する。
【００５３】
樋部５２から立ち上がる傾斜突条５５の基端部には、傾斜突条５５に沿って補強部７１が形成される。補強部７１は、傾斜突条５５の左右双方に形成され、入賞口本体４１の内周表面と傾斜突条５５の側面とに亘って形成される。
【００５４】
補強部７１を設けることによって、遊技領域１１から流下してくる遊技球に対する傾斜突条５５の強度が増すため、傾斜突条５５を細く、つまり幅を狭くすることができる。これにより、入賞口７０を射出成形によって成形する際、傾斜突条５５の球案内部５７の表面には、ヒケがより発生し難くなる。
【００５５】
また、傾斜突条５５の幅を狭くすることができ、ヒケの発生を抑制することができるため、球案内部５７の表面の形状を、球面形状と比較して断面積が大きくなる矩形状とすることも可能となる。傾斜突条５５の形状を矩形状とする場合、入賞口７０を成形するための成形型の製作が容易となるため生産性が向上する。
【００５６】
傾斜突条５５の幅を狭くする場合、離型用の突き出し具が当接する傾斜突条５５の後端面５５ａの面積は小さくなってしまう。しかし、補強部７１の後端面７１ａは、樋部５２の後端面５２ａ及び傾斜突条５５の後端面５５ａと同一平面内に形成されるため、当接部６０は、樋部５２の後端面５２ａと傾斜突条５５の後端面５５ａと補強部７１の後端面７１ａとに跨ぐ同一平面として設けられる。したがって、当接部６０の面積として、離型性を損なうことのない充分な面積を確保することができるため、射出成形後の入賞口７０の離型性は良好となる。
【００５７】
以上のように、本実施の形態においても、球案内部５７の表面にヒケが発生し難く、遊技球の転動を阻害することがない入賞口７０を得ることができる。また、突き出し具を当接させる当接部６０の面積も、補強部７１を利用することによって充分確保することができるため、入賞口７０の離型性を損なうこともない。
【００５８】
（第３の実施の形態）
次に、図６及び図７を参照して、本発明の第３の実施の形態の遊技機における入賞口８０について説明する。図６は、入賞口８０近傍を遊技盤の裏面側から見た分解斜視図であり、図７は入賞口８０近傍の断面図である。なお、本第３の実施の形態において、上記第１，２の実施の形態と同様の構成には同一の符号を付し、説明を省略する。
【００５９】
以下では、本第３の実施の形態の遊技機のうち、上記第２の実施の形態と相違する点について説明する。
【００６０】
遊技領域１１から入賞口８０に入賞し、樋部５２を転動して樋部５２から流出する遊技球は、  遊技盤１の裏面側の入賞球処理領域へと導かれる。入賞球処理領域における入賞口８０に対応する位置には、樋部５２から流出した遊技球が転動する転動面６３ａを有する入賞球転動部材６３が配在されている。
【００６１】
上記第２の実施の形態では、樋部５２の後端面５２ａと傾斜突条５５の後端面５５ａと補強部７１の後端面７１ａとは同一平面内に形成され、かつ離型用の突き出し具を当接させる当接部６０は、それぞれの後端面５２ａ，５５ａ，７１ａとに跨る同一平面として設けられるとした。
【００６２】
しかし、当接部６０を図６に示すように、樋部５２の後端面５２ａと傾斜突条５５の後端面５５ａと補強部７１の後端面７１ａとに跨らせると共に、それら後端面５２ａ、後端面５５ａ、及び後端面７１ａより突出して形成するようにしてもよい。つまり、当接部６０を円板状のピンとし、そのピンを樋部５２の後端面５２ａと傾斜突条５５の後端面５５ａと補強部７１の後端面７１ａとに跨らせて配設させる。
【００６３】
一方、入賞球転動部材６３には、当接部６０が嵌合する嵌合穴（嵌合部）６４が設けられる。入賞球転動部材６３を遊技盤１の背面に取り付けるには、図７に示すように、入賞口８０の当接部６０を入賞球転動部材６３の嵌合穴６４に嵌合させ、入賞球転動部材６３を入賞口８０に対して位置決めする。その後、締結部材（図示省略）を入賞球転動部材６３に設けられた締結穴６５及び遊技盤１に設けられた締結穴６６に挿通させて、入賞球転動部材６３を遊技盤１に固定する。
【００６４】
このように、当接部６０は、離型用の突き出し具を当接させる部位であると共に、入賞口８０に対する入賞球転動部材６３の位置合せ用の位置決めピンとしても機能するものである。
【００６５】
なお、本実施の形態では、第２の実施の形態における当接部６０を突出させる構成として説明したが、第１の実施の形態における当接部６０を樋部５２と傾斜突条５５との後端面５２ａ，５５ａより突出させて構成し、位置決めピンの機能も兼ねるようにすることも当然可能である。
【００６６】
本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００６７】
また、本発明は上記の実施の形態に限定されずに、その技術的な思想の範囲内において種々の変更がなしうることは明白である。
【図面の簡単な説明】
【００６８】
【図１】本発明の第１の実施の形態の遊技機の遊技盤の正面図である。
【図２】入賞口の前方斜視図である。
【図３】入賞口の後方斜視図である。
【図４】入賞口近傍の断面図である。
【図５】本発明の第２の実施の形態の遊技機における入賞口の後方斜視図である。
【図６】本発明の第３の実施の形態の遊技機における入賞口近傍を遊技盤の裏面側から見た分解斜視図である。
【図７】入賞口近傍の断面図である。
【符号の説明】
【００６９】
１      遊技盤
１１    遊技領域
２１    センターケース
２２    変動表示装置
２４    始動口
２８    一般入賞口
４１    入賞口本体
４２    フランジ部
４３    半円筒部材
４４ａ，４４ｂ  側壁
５１    受入口
５２    樋部
５２ａ  樋部の後端面
５５    傾斜突条
５５ａ  傾斜突条の後端面
５７    球案内部
５９    傾斜リブ
６０    当接部
６３    入賞球転動部材
６４    嵌合穴
７０    入賞口
７１    補強部
７１ａ  補強部の後端面
８０    入賞口
【図１】
2008125744.tif 000003
【図２】
2008125744.tif 000004
【図３】
2008125744.tif 000005
【図４】
2008125744.tif 000006
【図５】
2008125744.tif 000007
【図６】
2008125744.tif 000008
【図７】
2008125744.tif 000009